【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
地上波公共移動通信ネットワーク（ＰＬＭＮ）におけるセルを測定するための方法であって、
ライセンスされていないキャリア周波数上でセルの強化型発見基準信号（ｅＤＲＳ）を受信することと、ここにおいて前記ｅＤＲＳは、少なくとも、基準信号送信または同期信号送信を備える、
構成を受信することと、ここにおいて前記構成は、前記サービングセルからのサービングＰＬＭＮの、プライマリ同期信号送信、セカンダリ同期信号送信、および共通基準信号送信に関する、
サービングセルに関連付けられた前記構成に少なくとも部分的に基づいて前記セルに関する前記ｅＤＲＳの測定を遂行することと、ここにおいて前記ｅＤＲＳの測定を遂行することは、前記構成の１つまたは複数のパラメータに少なくとも部分的に基づく、
前記サービングセルに前記ｅＤＲＳの前記測定値を報告することと、
を備える、方法。
【請求項２】
前記基準信号送信は、共通基準信号（ＣＲＳ）およびチャネル状態情報基準信号（ＣＳＩ−ＲＳ）を含み、前記ｅＤＲＳの前記測定値を報告することは、前記サービングセルにＣＲＳ測定値およびＣＳＩ−ＲＳ測定値を報告することを備える、請求項１に記載の方法。
【請求項３】
前記ＣＲＳ測定値と前記ＣＳＩ−ＲＳ測定値との間の差がしきい値差内にあるかどうかを決定するために前記ＣＳＩ−ＲＳ測定値と前記ＣＲＳ測定値を比較することをさらに備え、前記ＣＲＳ測定値および前記ＣＳＩ−ＲＳ測定値を報告することは、前記差が前記しきい値差内にあると決定することに少なくとも部分的に基づく、請求項２に記載の方法。
【請求項４】
前記構成を受信することをさらに備え、前記構成は、前記サービングセルからのサービングＰＬＭＮのｅＤＲＳ送信に関し、前記ｅＤＲＳの測定を遂行することは、前記構成の１つまたは複数のパラメータに少なくとも部分的に基づく、請求項１に記載の方法。
【請求項５】
前記１つまたは複数のパラメータは、ＣＳＩ−ＲＳとして送信された前記ｅＤＲＳ送信に関して識別されたスクランブリング識別子、リソースインデックス、またはサブフレームオフセットのうちの１つまたは複数に対応する、請求項４に記載の方法。
【請求項６】
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮのＣＳＩ−ＲＳとして送信されたｅＤＲＳに関する、
をさらに備え、
前記ｅＤＲＳの測定を遂行することは、前記構成の１つまたは複数のパラメータに少なくとも部分的に基づく、請求項１に記載の方法。
【請求項７】
前記１つまたは複数のパラメータは、前記ＣＳＩ−ＲＳに関して識別されたスクランブリング識別子、リソースインデックス、またはサブフレームオフセットのうちの１つまたは複数に対応する、請求項６に記載の方法。
【請求項８】
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮの、プライマリ同期信号送信、セカンダリ同期信号送信、または共通基準信号送信に関する、
をさらに備え、
前記ｅＤＲＳの測定を遂行することは、前記構成の１つまたは複数のパラメータに少なくとも部分的に基づく、請求項１に記載の方法。
【請求項９】
地上波公共移動通信ネットワーク（ＰＬＭＮ）におけるセルを測定するためのユーザ機器であって、
ライセンスされていないキャリア周波数上でセルの強化型発見基準信号（ｅＤＲＳ）を受信するための手段と、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行するための手段と、
前記サービングセルに前記ｅＤＲＳの前記測定値を報告するための手段と、
前記構成を受信するための手段と、ここにおいて前記構成は、前記サービングセルからのサービングＰＬＭＮの、プライマリ同期信号送信、セカンダリ同期信号送信、および共通基準信号送信に関し、前記遂行するための手段は、前記構成の１つまたは複数のパラメータに少なくとも部分的に基づいて前記ｅＤＲＳの測定を遂行する、
を備える、ユーザ機器。
【請求項１０】
前記基準信号送信は、共通基準信号（ＣＲＳ）およびチャネル状態情報基準信号（ＣＳＩ−ＲＳ）を含み、前記報告するための手段は、前記サービングセルにＣＲＳ測定値およびＣＳＩ−ＲＳ測定値を報告する、請求項９に記載のユーザ機器。
【請求項１１】
前記構成を受信するための手段をさらに備え、前記構成は、前記サービングセルからのサービングＰＬＭＮのｅＤＲＳ送信に関し、前記遂行するための手段は、前記構成の１つまたは複数のパラメータに少なくとも部分的に基づいて前記ｅＤＲＳの測定を遂行する、請求項９に記載のユーザ機器。
【請求項１２】
前記サービングセルからサービングＰＬＭＮのＰＬＭＮ  ＩＤを受信するための手段と、
前記ＰＬＭＮ  ＩＤに少なくとも部分的に基づいて前記構成を決定するための手段と、ここにおいて前記構成は、前記サービングＰＬＭＮのＣＳＩ−ＲＳとして送信されたｅＤＲＳに関する、
をさらに備え、
前記遂行するための手段は、前記構成の１つまたは複数のパラメータに少なくとも部分的に基づいて前記ｅＤＲＳの測定を遂行する、請求項９に記載のユーザ機器。
【請求項１３】
前記サービングセルからサービングＰＬＭＮのＰＬＭＮ  ＩＤを受信するための手段と、
前記ＰＬＭＮ  ＩＤに少なくとも部分的に基づいて前記構成を決定するための手段と、ここにおいて前記構成は、前記サービングＰＬＭＮの、プライマリ同期信号送信、セカンダリ同期信号送信、または共通基準信号送信に関する、
をさらに備え、
前記遂行するための手段は、前記構成の１つまたは複数のパラメータに少なくとも部分的に基づいて前記ｅＤＲＳの測定を遂行する、請求項９に記載のユーザ機器。
【請求項１４】
地上波公共移動通信ネットワーク（ＰＬＭＮ）におけるセルを測定するためのコンピュータ実行可能コードを備えるコンピュータ可読記憶媒体であって、前記コードは、
ライセンスされていないキャリア周波数上でセルの強化型発見基準信号（ｅＤＲＳ）を受信するためのコードと、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行するためのコードと、
前記サービングセルに前記ｅＤＲＳの前記測定値を報告するためのコードと、
前記構成を受信するためのコードと、ここにおいて前記構成は、前記サービングセルからのサービングＰＬＭＮの、プライマリ同期信号送信、セカンダリ同期信号送信、および共通基準信号送信に関し、前記遂行するためのコードは、前記構成の１つまたは複数のパラメータに少なくとも部分的に基づいて前記ｅＤＲＳの測定を遂行する、
を備える、コンピュータ可読記憶媒体。
【請求項１５】
コンピュータまたは１つまたは複数のプロセッサによってアクセスされおよび読み取られ得、実行されているときに、前記コンピュータまたは前記１つまたは複数のプロセッサに、請求項１−８のうちのいずれかにしたがった方法を遂行させるコンピュータ可読コードおよび／または命令を備える、コンピュータプログラム。
【手続補正２】
【補正対象書類名】明細書
【補正対象項目名】００８５
【補正方法】変更
【補正の内容】
【００８５】
[0094]  前述の説明は、当業者が、ここで説明された種々の態様を実施することを可能にするために提供される。これらの態様への様々な修正は、当業者に容易に明らかとなり、本明細書に定義された一般的な原理は、他の態様に適用され得る。このように、請求項は、ここに示される態様に限定されるように意図されず、請求項の文言と一貫する最大範囲を与えられるべきであり、ここにおいて、単数における要素の参照は、そのように明確に述べられていない限りは「１つおよび１つのみ」を意味するように意図されず、むしろ「１つまたは複数」を意味するように意図される。そうでないと具体的に記載されない限り、「いくつかの」という用語は、１つまたは複数を指す。当業者に知られているか、または後に知られることとなる、本明細書で説明された様々な態様の要素と構造的および機能的に同等な物は全て、参照によって本明細書に明確に組み込まれ、請求項によって包含されるように意図される。その上、本明細書のどの開示も、そのような開示が請求項に明示的に記載されているかどうかにかかわらず、公に献呈されるようには意図されていない。要素が「〜のための手段」というフレーズを使用して明確に記載されていない限り、どの請求項の要素もミーンズプラスファンクションとして解釈されるべきではない。
以下に本願発明の当初の特許請求の範囲に記載された発明を付記する。
［Ｃ１］
地上波公共移動通信ネットワーク（ＰＬＭＮ）におけるセルを測定するための方法であって、
ライセンスされていないキャリア周波数上でセルの強化型発見基準信号（ｅＤＲＳ）を受信することと、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行することと、
前記サービングセルに前記ｅＤＲＳの前記測定値を報告することと、
を備える、方法。
［Ｃ２］
前記基準信号送信は、共通基準信号（ＣＲＳ）およびチャネル状態情報基準信号（ＣＳＩ−ＲＳ）を含み、前記ｅＤＲＳの前記測定値を報告することは、前記サービングセルにＣＲＳ測定値およびＣＳＩ−ＲＳ測定値を報告することを備える、Ｃ１に記載の方法。
［Ｃ３］
前記ＣＲＳ測定値と前記ＣＳＩ−ＲＳ測定値との間の差がしきい値差内にあるかどうかを決定するために前記ＣＳＩ−ＲＳ測定値と前記ＣＲＳ測定値を比較することをさらに備え、前記ＣＲＳ測定値および前記ＣＳＩ−ＲＳ測定値を報告することは、前記差が前記しきい値差内にあると決定することに少なくとも部分的に基づく、Ｃ２に記載の方法。
［Ｃ４］
前記構成を受信することをさらに備え、前記構成は、前記サービングセルからのサービングＰＬＭＮのｅＤＲＳ送信に関し、前記ｅＤＲＳの測定を遂行することは、前記構成の１つまたは複数のパラメータに少なくとも部分的に基づく、Ｃ１に記載の方法。
［Ｃ５］
前記１つまたは複数のパラメータは、ＣＳＩ−ＲＳとして送信された前記ｅＤＲＳ送信に関して識別されたスクランブリング識別子、リソースインデックス、またはサブフレームオフセットのうちの１つまたは複数に対応する、Ｃ４に記載の方法。
［Ｃ６］
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮのＣＳＩ−ＲＳとして送信されたｅＤＲＳに関する、
をさらに備え、
前記ｅＤＲＳの測定を遂行することは、前記構成の１つまたは複数のパラメータに少なくとも部分的に基づく、Ｃ１に記載の方法。
［Ｃ７］
前記１つまたは複数のパラメータは、前記ＣＳＩ−ＲＳに関して識別されたスクランブリング識別子、リソースインデックス、またはサブフレームオフセットのうちの１つまたは複数に対応する、Ｃ６に記載の方法。
［Ｃ８］
前記構成を受信することをさらに備え、前記構成は、前記サービングセルからのサービングＰＬＭＮの、プライマリ同期信号送信、セカンダリ同期信号送信、または共通基準信号送信に関し、前記ｅＤＲＳの測定を遂行することは、前記構成の１つまたは複数のパラメータに少なくとも部分的に基づく、Ｃ１に記載の方法。
［Ｃ９］
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮの、プライマリ同期信号送信、セカンダリ同期信号送信、または共通基準信号送信に関する、
をさらに備え、
前記ｅＤＲＳの測定を遂行することは、前記構成の１つまたは複数のパラメータに少なくとも部分的に基づく、Ｃ１に記載の方法。
［Ｃ１０］
地上波公共移動通信ネットワーク（ＰＬＭＮ）におけるセルを測定するためのユーザ機器であって、
トランシーバと、
ワイヤレスネットワークにおいて信号を通信するためにバスを介して前記トランシーバと通信可能に結合された少なくとも１つのプロセッサと、
前記バスを介して前記少なくとも１つのプロセッサおよび／または前記トランシーバと通信可能に結合されたメモリと、
を備え、
前記少なくとも１つのプロセッサおよび前記メモリは、
前記トランシーバを介して、ライセンスされていないキャリア周波数上でセルの強化型発見基準信号（ｅＤＲＳ）を受信することと、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行することと、
前記トランシーバを介して、前記サービングセルに前記ｅＤＲＳの前記測定値を報告することと、
を行うように動作可能である、ユーザ機器。
［Ｃ１１］
前記基準信号送信は、共通基準信号（ＣＲＳ）およびチャネル状態情報基準信号（ＣＳＩ−ＲＳ）を含み、前記少なくとも１つのプロセッサよび前記メモリは、少なくとも部分的に前記サービングセルにＣＲＳ測定値およびＣＳＩ−ＲＳ測定値を報告することによって前記ｅＤＲＳの前記測定値を報告するように動作可能である、Ｃ１０に記載のユーザ機器。
［Ｃ１２］
前記少なくとも１つのプロセッサおよび前記メモリは、前記ＣＲＳ測定値と前記ＣＳＩ−ＲＳ測定値との間の差がしきい値差内にあるかどうかを決定するために前記ＣＳＩ−ＲＳ測定値と前記ＣＲＳ測定値を比較するようにさらに動作可能であり、前記少なくとも１つのプロセッサおよび前記メモリは、前記差が前記しきい値差内にあると決定することに少なくとも部分的に基づいて前記ＣＲＳ測定値および前記ＣＳＩ−ＲＳ測定値を報告するように動作可能である、Ｃ１１に記載のユーザ機器。
［Ｃ１３］
前記少なくとも１つのプロセッサおよび前記メモリは、前記構成を受信するようにさらに動作可能であり、前記構成は、前記サービングセルからのサービングＰＬＭＮのｅＤＲＳ送信に関し、前記少なくとも１つのプロセッサおよび前記メモリは、前記構成の１つまたは複数のパラメータに少なくとも部分的に基づいて、前記ｅＤＲＳの測定を遂行するように動作可能である、Ｃ１０に記載のユーザ機器。
［Ｃ１４］
前記１つまたは複数のパラメータは、ＣＳＩ−ＲＳとして送信された前記ｅＤＲＳ送信に関して識別されたスクランブリング識別子、リソースインデックス、またはサブフレームオフセットのうちの１つまたは複数に対応する、Ｃ１３に記載のユーザ機器。
［Ｃ１５］
前記少なくとも１つのプロセッサおよび前記メモリは、
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮのＣＳＩ−ＲＳとして送信されたｅＤＲＳに関する、
を行うようにさらに動作可能であり、
前記少なくとも１つのプロセッサおよび前記メモリは、前記構成の１つまたは複数のパラメータに少なくとも部分的に基づいて前記ｅＤＲＳの測定を遂行するように動作可能である、Ｃ１０に記載のユーザ機器。
［Ｃ１６］
前記１つまたは複数のパラメータは、前記ＣＳＩ−ＲＳに関して識別されたスクランブリング識別子、リソースインデックス、またはサブフレームオフセットのうちの１つまたは複数に対応する、Ｃ１５に記載のユーザ機器。
［Ｃ１７］
前記少なくとも１つのプロセッサおよび前記メモリは、前記構成を受信するようにさらに動作可能であり、前記構成は、前記サービングセルからのサービングＰＬＭＮの、プライマリ同期信号送信、セカンダリ同期信号送信、または共通基準信号送信に関し、前記少なくとも１つのプロセッサおよび前記メモリは、前記構成の１つまたは複数のパラメータに少なくとも部分的に基づいて、前記ｅＤＲＳの測定を遂行するように動作可能である、Ｃ１０に記載のユーザ機器。
［Ｃ１８］
前記少なくとも１つのプロセッサおよび前記メモリは、
前記サービングセルからサービングＰＬＭＮのＰＬＭＮ  ＩＤを受信することと、
前記ＰＬＭＮ  ＩＤに少なくとも部分的に基づいて前記構成を決定することと、ここにおいて前記構成は、前記サービングＰＬＭＮの、プライマリ同期信号送信、セカンダリ同期信号送信、または共通基準信号送信に関する、
を行うようにさらに動作可能であり、
前記少なくとも１つのプロセッサおよび前記メモリは、前記構成の１つまたは複数のパラメータに少なくとも部分的に基づいて前記ｅＤＲＳの測定を遂行するように動作可能である、Ｃ１０に記載のユーザ機器。
［Ｃ１９］
地上波公共移動通信ネットワーク（ＰＬＭＮ）におけるセルを測定するためのユーザ機器であって、
ライセンスされていないキャリア周波数上でセルの強化型発見基準信号（ｅＤＲＳ）を受信するための手段と、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行するための手段と、
前記サービングセルに前記ｅＤＲＳの前記測定値を報告するための手段と、
を備える、ユーザ機器。
［Ｃ２０］
前記基準信号送信は、共通基準信号（ＣＲＳ）およびチャネル状態情報基準信号（ＣＳＩ−ＲＳ）を含み、前記報告するための手段は、前記サービングセルにＣＲＳ測定値およびＣＳＩ−ＲＳ測定値を報告する、Ｃ１９に記載のユーザ機器。
［Ｃ２１］
前記構成を受信するための手段をさらに備え、前記構成は、前記サービングセルからのサービングＰＬＭＮのｅＤＲＳ送信に関し、前記遂行するための手段は、前記構成の１つまたは複数のパラメータに少なくとも部分的に基づいて前記ｅＤＲＳの測定を遂行する、Ｃ１９に記載のユーザ機器。
［Ｃ２２］
前記サービングセルからサービングＰＬＭＮのＰＬＭＮ  ＩＤを受信するための手段と、
前記ＰＬＭＮ  ＩＤに少なくとも部分的に基づいて前記構成を決定するための手段と、ここにおいて前記構成は、前記サービングＰＬＭＮのＣＳＩ−ＲＳとして送信されたｅＤＲＳに関する、
をさらに備え、
前記遂行するための手段は、前記構成の１つまたは複数のパラメータに少なくとも部分的に基づいて前記ｅＤＲＳの測定を遂行する、Ｃ１９に記載のユーザ機器。
［Ｃ２３］
前記構成を受信するための手段をさらに備え、前記構成は、前記サービングセルからのサービングＰＬＭＮの、プライマリ同期信号送信、セカンダリ同期信号送信、または共通基準信号送信に関し、前記遂行するための手段は、前記構成の１つまたは複数のパラメータに少なくとも部分的に基づいて前記ｅＤＲＳの測定を遂行する、Ｃ１９に記載のユーザ機器。
［Ｃ２４］
前記サービングセルからサービングＰＬＭＮのＰＬＭＮ  ＩＤを受信するための手段と、
前記ＰＬＭＮ  ＩＤに少なくとも部分的に基づいて前記構成を決定するための手段と、ここにおいて前記構成は、前記サービングＰＬＭＮの、プライマリ同期信号送信、セカンダリ同期信号送信、または共通基準信号送信に関する、
をさらに備え、
前記遂行するための手段は、前記構成の１つまたは複数のパラメータに少なくとも部分的に基づいて前記ｅＤＲＳの測定を遂行する、Ｃ１９に記載のユーザ機器。
［Ｃ２５］
地上波公共移動通信ネットワーク（ＰＬＭＮ）におけるセルを測定するためのコンピュータ実行可能コードを備えるコンピュータ可読記憶媒体であって、前記コードは、
ライセンスされていないキャリア周波数上でセルの強化型発見基準信号（ｅＤＲＳ）を受信するためのコードと、ここにおいて前記ｅＤＲＳは、少なくとも、基準信号送信または同期信号送信を備える、
サービングセルに関連付けられた構成に少なくとも部分的に基づいて前記セルに関する前記ｅＤＲＳの測定を遂行するためのコードと、
前記サービングセルに前記ｅＤＲＳの前記測定値を報告するためのコードと、
を備える、コンピュータ可読記憶媒体。
［Ｃ２６］
前記基準信号送信は、共通基準信号（ＣＲＳ）およびチャネル状態情報基準信号（ＣＳＩ−ＲＳ）を含み、前記報告するためのコードは、前記サービングセルにＣＲＳ測定値およびＣＳＩ−ＲＳ測定値を報告する、Ｃ２５に記載のコンピュータ可読記憶媒体。
［Ｃ２７］
前記構成を受信するためのコードをさらに備え、前記構成は、前記サービングセルからのサービングＰＬＭＮのｅＤＲＳ送信に関し、前記遂行するためのコードは、前記構成の１つまたは複数のパラメータに少なくとも部分的に基づいて前記ｅＤＲＳの測定を遂行する、Ｃ２５に記載のコンピュータ可読記憶媒体。
［Ｃ２８］
前記サービングセルからサービングＰＬＭＮのＰＬＭＮ  ＩＤを受信するためのコードと、
前記ＰＬＭＮ  ＩＤに少なくとも部分的に基づいて前記構成を決定するためのコードと、ここにおいて前記構成は、前記サービングＰＬＭＮのＣＳＩ−ＲＳとして送信されたｅＤＲＳに関する、
をさらに備え、
前記遂行するためのコードは、前記構成の１つまたは複数のパラメータに少なくとも部分的に基づいて前記ｅＤＲＳの測定を遂行する、Ｃ２５に記載のコンピュータ可読記憶媒体。
［Ｃ２９］
前記構成を受信するためのコードをさらに備え、前記構成は、前記サービングセルからのサービングＰＬＭＮのプライマリ同期信号送信、セカンダリ同期信号送信、または共通基準信号送信に関し、前記遂行するためのコードは、前記構成の１つまたは複数のパラメータに少なくとも部分的に基づいて前記ｅＤＲＳの測定を遂行する、Ｃ２５に記載のコンピュータ可読記憶媒体。
［Ｃ３０］
前記サービングセルからサービングＰＬＭＮのＰＬＭＮ  ＩＤを受信するためのコードと、
前記ＰＬＭＮ  ＩＤに少なくとも部分的に基づいて前記構成を決定するためのコードと、ここにおいて前記構成は、前記サービングＰＬＭＮの、プライマリ同期信号送信、セカンダリ同期信号送信、または共通基準信号送信に関する、
をさらに備え、
前記遂行するためのコードは、前記構成の１つまたは複数のパラメータに少なくとも部分的に基づいて前記ｅＤＲＳの測定を遂行する、Ｃ２５に記載のコンピュータ可読記憶媒体。